(57)【要約】      （修正有）【課題】靴の固定位置が安易かつ自由に選択可能とし、迅速、単純にペダルから解放可能とし、歩行するのに障害のない靴本来の機能を保つシステムを提供する。【解決手段】一般車両と競技用車両の両方の長所を共有し、短所も解決するために、靴底以外の部分、すなわちペダル駆動軸に平行な線上である靴の内横面などの間に固定装備を新設置してペダルと靴が係合できる固定装置を新設した。ペダル回転方向には強い係合、あるいは摩擦などで３６０度の回転駆動力を伝え、加えてもっとも理想的かつ安全な靴駆動位置を指定可能であり、緊急時は靴をペダルから解放する外側方向には、一瞬で足の離脱を可能とし、靴底には何の装備も設置しないため、降車後の歩行には何の障害もない構造とする。【選択図】図２
2020015486.tif 000002
【特許請求の範囲】
【請求項１】
自転車のクランクを回駆動させるため、回動方向に係合できる靴底以外の部位である内側面等や、靴に装着した係合装置を利用して３６０度で回動力を伝達することを可能とする、自転車クランク駆動機構。
【請求項２】
請求項１のクランク回転駆動を可能にした事に加えてペダルから靴を開放する際に、外側へ足をずらすことで係合開放を可能とできる事を特徴とする着脱機構。
【請求項３】
請求項１、請求項２を可能とする為に係合方法が選択可能であり、駆動ペダルへの係合強度および位置決め等が選択可能である事を特徴とする位置決め機構。
【請求項４】
請求項１、請求項２、請求項３を可能とした上でペダルと靴との固定装置は踏付け面である靴底には関係がないため降車後の歩行には支障がないことを特徴とする回駆動可能な歩行靴機構。
【発明の詳細な説明】
【技術分野】
【０００１】  この発明は自転車の駆動方法として競技用ペダルおよびシューズに準ずる回転駆動可能な機能、安全で迅速で簡易に着脱可能な機能、理想的固定位置を選択可能な機能、降車後の歩行に支障のない靴と駆動ペダルの機能、およびその形状に関する。
【背景技術】
【０００２】  従来、一般の自転車走行においては安全性、ならびに歩行時の実用面に重点を置き、ペダルを上から下へ踏みつけるだけで走行していた。
他方、安全性、実用性を無視する自転車競技などでは、少しでも駆動力を逃さないためにペダルと靴を固定し、回転駆動する為に「シュープレート」「ペダルストラップ」「クリート」などと呼ばれる固定装置を利用し、ペダルを３６０度の回転駆動できることを可能としている。
【先行技術文献】
【特許文献】
【０００３】
【特許文献１】特許公開  ２０００−１４２５３７
【特許文献２】特許公開  ２０００−１４２５３８
【特許文献３】特許公開  ２０００−２８９６７９
【特許文献４】国際  ＫＲ  １０−２０１３−０１３３６８３Ａ
【特許文献５】国際  ＪＰ  ８−１１７６９Ａ
【特許文献６】国際  ＪＰ  ６１−２３５２８７Ａ
【特許文献７】国際  ＪＰ／２０１７／００６０５２
【非特許文献】
【０００４】
【非特許文献１】登録実用新案  第３０１９１０１号
【非特許文献２】登録実用新案  平０１−１３９７０３
【非特許文献３】登録実用新案  平０８−０１１７６９
【非特許文献４】登録実用新案  平０８−３２２８９３
【非特許文献５】登録実用新案  平１１−３２１７６７
【発明の概要】
【発明が解決しようとする課題】
【０００５】  しかしながら、以上の技術によれば機能性の点において、ペダルは上死点から下死点までを左右の靴で交互に上から下へと踏みつけることでしか駆動できないのはもちろん、下死点から上死点に足を引き上げる際においては、足をペダルから踏み外さないように保持する為のマイナスの駆動力も伴わなければならない。
したがって安全性、利便性を全く考慮しなくてよい競技用の自転車においては駆動クランクへ３６０度の回転駆動を可能とさせるために、「トウクリップ」「ストラップ」「クリート」などといったペダルと靴を固定する装備を用いて足を引き上げる際や、押し出す際にもクランクを駆動可能とさせていた。
そして、こういった固定するための装備は着脱が複雑であり、事故、転倒時においては靴が一瞬でははずれにくく、言わば足枷をしたまま転倒することとなり、安全性の面においては危険性が非常に高い。
さらに、これらの競技用ペダルや靴では、一旦、固定位置決めをすると簡単に踏み位置の変更は難しいうえに、自転車を降車した後には競技用の靴底には「クリート」「シュープレート」などと呼ばれる靴底の固定装備品があり、歩行の障害となっている。
この発明は競技用のペダルと靴同様に３６０度の回転駆動を可能とし、固定位置が安易かつ自由に選択可能とし、迅速、単純にペダルから靴を開放可能とし、さらに降車時には、歩行するのに何の障害もない靴本来の機能を保つシステムを提供することを課題とする。
【課題を解決するための手段】
【０００６】  以上の課題を解決するために、第一発明はこれまでの自転車走行時に靴底以外の部分、すなわち靴の内横面などとの間に固定装備を新設置して、３６０度の回転駆動を可能にする方法を特徴とする。
また、第二発明は、第一発明の効果に加えて、ペダル上に設置した靴を外側にずらす、或いは、ひねるなどの迅速かつ簡便にペダルと靴との着脱を可能にする方法を特徴とする。
また、第三発明は、第一発明、第二発明を可能とする為に、ペダルと靴とを固定する方法として、「凹凸嵌合」「面ファスナー」「ホックボタン」「マグネット」「固定ベルト」など、多数の配置法、配置位置を選択することにより着脱の強度、ならびに駆動入力強度、固定位置指定による安全性などを選択可能である事を特徴とする。
また、第四発明は、靴底には固定の装備がなく、自転車降車後の、靴による歩行には支障がないことを特徴とする。
【発明の効果】
【０００７】  第一発明、または第二発明、または第三発明、または第四発明によれば、ペダルを踏み付けるのみで駆動するのではなく、足の３６０度の回転運動を理想的なペダル踏み位置に選択の上で回転駆動可能とし、  危険で緊急の場合には、一瞬で取り外しができて、降車後の歩行には何の障害もない。
【図面の簡単な説明】
【０００８】
【図１】  この発明の一実施形態を示す操作図である。
【図２】  この発明の装着形態を示す左右装着図である。
【図３】  この発明のペダルと接合装置形態を示す斜視図である。
【図４】  この発明のペダルと接合装置形態を示す分解図である。
【図５】  この発明の装着形態を説明する上下図である。
【図６】  この発明の装着と解放の説明図である。
【図７】  この発明の一実施形態を示す説明図である。
【図８】  この発明の安全性を示す解説図である。
【図９】  この発明の実施多様形態を示す提案図である。
【図１０】  この発明の係合強度の一実施形態を示す説明図である。
【発明を実施するための形態】
【０００９】
【実施例】
【００１０】
【産業上の利用可能性】
【００１１】
【符号の説明】
【００１２】
【受託番号】
【００１３】
【図１】
2020015486.tif 000003
【図２】
2020015486.tif 000004
【図３】
2020015486.tif 000005
【図４】
2020015486.tif 000006
【図５】
2020015486.tif 000007
【図６】
2020015486.tif 000008
【図７】
2020015486.tif 000009
【図８】
2020015486.tif 000010
【図９】
2020015486.tif 000011
【図１０】
2020015486.tif 000012